(57)【要約】【課題】  直下方向に対する斜め方向からのグレアを低減するとともに、器具本体の高さ寸法を抑制可能なＬＥＤ照明器具を提供する。【解決手段】  ＬＥＤ照明器具１は、発光ダイオード２と、発光ダイオード２を配設し、発光ダイオード２の周りに発光ダイオード２を点灯する点灯回路部品７を実装している回路基板３と、一端側４ａの第１の開口部１１またはその近傍に発光ダイオード２が位置するように回路基板３が配設され、他端側４ｂの第２の開口部１３から発光ダイオード２の放射光が出射される筒体４と、一端側１４ａに回路基板３および筒体４の一端側４ａを収納し、他端側１４ｂ開口から筒体４から出射される発光ダイオード２の放射光を出射する略筒状体１４に形成された器具本体５を具備している。【選択図】図１
2010123369.tif 000002
【特許請求の範囲】
【請求項１】
発光ダイオードと；
この発光ダイオードを配設し、前記発光ダイオードの周りに前記発光ダイオードを点灯する点灯回路部品を実装している回路基板と；
一端側に第１の開口部および他端側に前記第１の開口部から拡開されて形成された第２の開口部を有し、前記第１の開口部またはその近傍に前記発光ダイオードが位置するように前記回路基板が配設され、前記第２の開口部から前記発光ダイオードの放射光が出射される筒体と；
一端側に前記回路基板および前記筒体の一端側を収納し、他端側開口から前記筒体から出射される前記発光ダイオードの放射光を出射する略筒状体に形成された器具本体と；
を具備していることを特徴とするＬＥＤ照明器具。
【請求項２】
発光ダイオードを実装しているＬＥＤ体と；
前記発光ダイオードを点灯する点灯回路部品を実装している回路基板と；
一端側に第１の開口部および他端側に前記第１の開口部から拡開されて形成された第２の開口部を有し、前記第１の開口部またはその近傍に前記発光ダイオードが位置するように前記ＬＥＤ体が配設され、前記第２の開口部から前記発光ダイオードの放射光が出射される筒体と；
略筒状体に形成され、その略筒状体の一端側に前記ＬＥＤ体および前記筒体の一端側を収納し、かつ前記略筒状体の内面と前記筒体との間であって前記ＬＥＤ体よりも前記第２の開口部側に前記回路基板を収納し、前記略筒状体の他端側開口から前記筒体から出射される前記発光ダイオードの放射光を出射する器具本体と；
を具備していることを特徴とするＬＥＤ照明器具。
【請求項３】
前記器具本体は、その略筒状体の一端側と前記筒体の一端側との間に前記回路基板に電気接続されている端子台を設けているとともに、前記略筒状体の一端側および他端側の間の側面の前記端子台に正対する部位に側面側から前記端子台に外部からの電源線を接続可能な配線用開口部が形成されていることを特徴とする請求項１または２記載のＬＥＤ照明器具。
【発明の詳細な説明】
【技術分野】
【０００１】
本発明は、発光ダイオードからの放射光を照明光として出射するＬＥＤ照明器具に関する。
【背景技術】
【０００２】
反射鏡を具備する照明器具は、その反射鏡の深部側にランプを配設している。このランプと点灯装置とを短いリード線で接続するランプ装置が提案されている（例えば特許文献１参照。）。この従来技術のランプ装置は、反射部とこの反射部に連接した筒部とを有する反射鏡の筒部にランプを挿入保持し、反射鏡の筒部を点灯装置のプリント基板の中央に設けた貫通穴に挿入し、ランプと点灯装置とをリード線により接続した構成であり、ランプと点灯装置とを近接して設けることができるため、その両者を接続するためのリード線の長さを短くできるというものである。
【０００３】
そして、反射鏡の深部側にランプを配設している照明器具は、ランプからの放射光が照明器具の直下方向に対する斜め方向に出射しにくくなっている。これにより、照明器具を斜め方向から見上げたときのグレア（眩しさ）が防止される。
【０００４】
また、反射鏡の深部側にランプとして発光ダイオード（ＬＥＤ）を配設している照明装置が提案されている（例えば特許文献２参照。）。この従来技術の照明装置は、天井フレームに、照明モジュールを収納する収納凹部を設けて、この収納凹部に照明モジュールを組み込んだ構成であり、照明モジュールが複数の発光ダイオードおよび反射鏡（リフレクタ）を備えた構成とすることにより、蛍光灯などを使用した照明と比べて長寿命となるので、設置場所における交換作業等の頻度を低減することができ、また、照明モジュールをワンタッチで容易に脱着できるので、安全かつ容易に交換作業を行うことが可能になるというものである。そして、発光ダイオードに電源を供給する電源装置は、天井フレームの中空部に備えられているものである。
【特許文献１】特許第２８２７７０１号公報（第２頁、第１図）
【特許文献２】特開２００８−２２６６５９号公報（第４頁、第１図）
【発明の開示】
【発明が解決しようとする課題】
【０００５】
特許文献１のランプ装置は、反射鏡の筒部がプリント基板の貫通穴に挿入されるとともに、ランプがソケットに装着されて固定されるので、ランプ装置の深部方向（高さ方向）の寸法が大きくなるという欠点を有する。また、特許文献２の照明装置は、電源装置を天井フレームの中空部に備えるので、照明装置の高さ寸法が大きくなるという欠点を有する。
本発明は、直下方向に対する斜め方向からのグレアを低減するとともに、器具本体の高さ寸法を抑制可能なＬＥＤ照明器具を提供することを目的とする。
【課題を解決するための手段】
【０００６】
請求項１に記載のＬＥＤ照明器具の発明は、発光ダイオードと；この発光ダイオードを配設し、前記発光ダイオードの周りに前記発光ダイオードを点灯する点灯回路部品を実装している回路基板と；一端側に第１の開口部および他端側に前記第１の開口部から拡開されて形成された第２の開口部を有し、前記第１の開口部またはその近傍に前記発光ダイオードが位置するように前記回路基板が配設され、前記第２の開口部から前記発光ダイオードの放射光が出射される筒体と；一端側に前記回路基板および前記筒体の一端側を収納し、他端側開口から前記筒体から出射される前記発光ダイオードの放射光を出射する略筒状体に形成された器具本体と；を具備していることを特徴とする。
本発明および以下の各発明において、特に言及しない限り、各構成は以下による。
【０００７】
回路基板は、発光ダイオードを直接的に実装していてもよく、発光ダイオードを実装している基板または複数の発光ダイオードを配設して形成された所謂ＬＥＤモジュールを配設していてもよい。
【０００８】
「第１の開口部またはその近傍に発光ダイオードが位置するように」とは、発光ダイオードが第１の開口部に位置し、第１の開口部に密接や近接し、または第１の開口部と所定の間隙を有しているとともに、発光ダイオードから放射された光が第１の開口部から筒体内に入光されることを意味する。
筒体は、その内面が発光ダイオードの放射光を反射させる反射鏡に形成されていることが好ましいが、これに限定されない。
回路基板および筒体は、その両方が器具本体に固定されていてもよく、その一方が他方を固定し、その他方が器具本体に固定されていてもよい。
【０００９】
本発明によれば、発光ダイオードは、回路基板に配設されているので、回路基板において点灯回路部品により形成される点灯回路から電力が供給されて点灯する。発光ダイオードの放射光は、筒体の第１の開口部から筒体内に入光し、第２の開口部から出射するとともに、器具本体の他端側開口から外方に出射する。そして、発光ダイオードは、筒体の深部側である一端側に形成された第１の開口部またはその近傍に配設されているので、発光ダイオードの放射光は、器具本体の直下方向に対する斜め方向への出射が抑制される。
【００１０】
請求項２に記載のＬＥＤ照明器具の発明は、発光ダイオードを実装しているＬＥＤ体と；前記発光ダイオードを点灯する点灯回路部品を実装している回路基板と；一端側に第１の開口部および他端側に前記第１の開口部から拡開されて形成された第２の開口部を有し、前記第１の開口部またはその近傍に前記発光ダイオードが位置するように前記ＬＥＤ体が配設され、前記第２の開口部から前記発光ダイオードの放射光が出射される筒体と；略筒状体に形成され、その略筒状体の一端側に前記ＬＥＤ体および前記筒体の一端側を収納し、かつ前記略筒状体の内面と前記筒体との間であって前記ＬＥＤ体よりも前記第２の開口部側に前記回路基板を収納し、前記略筒状体の他端側開口から前記筒体から出射される前記発光ダイオードの放射光を出射する器具本体と；を具備していることを特徴とする。
【００１１】
ＬＥＤ体は、発光ダイオードを実装している基板や複数の発光ダイオードを配設して形成された所謂ＬＥＤモジュールなどである。ＬＥＤ体は、リード線を介して回路基板に接続され、発光ダイオードは、回路基板から電力が供給される。
【００１２】
ＬＥＤ体および筒体は、その両方が器具本体に固定されていてもよく、その一方が他方を固定し、その他方が器具本体に固定されていてもよい。また、回路基板は、器具本体または筒体のいずれに固定されてもよい。
回路基板は、器具本体の略筒状体の内面と筒体との間であってＬＥＤ体よりも筒体の第２の開口部側に収納されるように、その外形が形成される。
【００１３】
本発明によれば、発光ダイオードは、器具本体の略筒状体の内面と筒体との間であってＬＥＤ体よりも筒体の第２の開口部側に収納されている回路基板から電力が供給されて点灯する。発光ダイオードの放射光は、筒体の第１の開口部から筒体内に入光し、第２の開口部から出射するとともに、器具本体の他端側開口から外方に出射する。そして、発光ダイオードは、筒体の深部側である一端側に形成された第１の開口部またはその近傍に配設されているので、発光ダイオードの放射光は、器具本体の直下方向に対する斜め方向への出射が抑制される。
【００１４】
請求項３に記載のＬＥＤ照明器具の発明は、請求項１または２記載のＬＥＤ照明器具において、前記器具本体は、その略筒状体の一端側と前記筒体の一端側との間に前記回路基板に電気接続されている端子台を設けているとともに、前記略筒状体の一端側および他端側の間の側面の前記端子台に正対する部位に側面側から前記端子台に外部からの電源線を接続可能な配線用開口部が形成されていることを特徴とする。
配線用開口部は、略筒状体の一端側が切り欠きされた切り欠き部であってもよい。
本発明によれば、器具本体の配線用開口部に端子台が正対するので、器具本体の側面側から外部からの電源線が端子台に接続される。
【発明の効果】
【００１５】
請求項１の発明によれば、発光ダイオードは、点灯回路部品が実装された回路基板に配設され、その回路基板は、筒体の一端側に形成された第１の開口部またはその近傍に発光ダイオードが位置するように配設されているので、器具本体の一端側および他端側の間の寸法を小さくすることができて、器具本体の高さ方向の大きさを小さくすることができるとともに、筒体および器具本体により発光ダイオードの遮光角を小さくすることができて、ＬＥＤ照明器具を斜め方向から見上げたときの眩しさ（グレア）や不快感を低減することができる。
【００１６】
請求項２の発明によれば、発光ダイオードを実装しているＬＥＤ体は、筒体の一端側に形成された第１の開口部またはその近傍に位置するように配設され、点灯回路部品が実装された回路基板は、器具本体の略筒状体の内面と筒体との間であってＬＥＤ体よりも筒体の第２の開口部側に収納されているので、器具本体の一端側および他端側の間の寸法を小さくすることができて、器具本体の高さ方向の大きさを小さくすることができるとともに、筒体および器具本体により発光ダイオードの遮光角を小さくすることができて、ＬＥＤ照明器具を斜め方向から見上げたときの眩しさ（グレア）や不快感を低減することができる。
【００１７】
請求項３の発明によれば、器具本体の一端側と筒体の一端側との間に端子台が設けられ、端子台に正対する器具本体の側面の部位に配線用開口部が形成され、器具本体の側面側から外部からの電源線が端子台に接続されるので、端子台が回路基板よりも筒体の第２の開口部側に位置し、器具本体の一端側および他端側の間の寸法が端子台の設置によって大きくなることがなく、これにより、器具本体の高さ方向の大きさを小さくすることができる。
【発明を実施するための最良の形態】
【００１８】
以下、本発明の一実施の形態について、図面を参照して説明する。まず、本発明の第１の実施形態について説明する。
【００１９】
図１および図２は、本発明の第１の実施形態を示し、図１はＬＥＤ照明器具の一部切り欠き概略側面図、図２は蓋体を取り除いた状態のＬＥＤ照明器具の概略上面図である。
図１において、ＬＥＤ照明器具１は、発光ダイオード２、回路基板３、筒体４および器具本体５を有して構成されている。
【００２０】
発光ダイオード２は、可視光を放射するチップ状に形成され、複数個が基板に実装されてＬＥＤ体としてのＬＥＤモジュール６に構成されている。回路基板３は、例えばガラスエポキシ材や紙フェノール材などにより円板に形成され、一面（表面）３ａの中央部にＬＥＤモジュール６をねじ止めや貼着などにより配設している。そして、図２に示すように、ＬＥＤモジュール６の周りの一面３ａに点灯回路部品７を実装している。点灯回路部品７により、発光ダイオード３を点灯する点灯回路が形成されている。この点灯回路は、発光ダイオード２に電気的に接続している。
【００２１】
筒体４は、例えばポリブチレンテレフタレート（ＰＢＴ）樹脂からなり、図１に示すように、筒部８および反射部９に形成されている。筒部８は、筒体４の一端側４ａに形成されたものであり、外方に突出する鍔部１０を有する円筒状の第１の開口部１１に形成されている。反射部９は、筒部８から放物状に拡開されて形成され、その開放端側に外方に突出する鍔部１２を有する第２の開口部１３を形成し、その内面が例えば銀色鏡面に形成されている。すなわち、筒体４の他端側４ｂは、第２の開口部１３となっている。
【００２２】
器具本体５は、略円筒状に形成された略筒状体１４、略筒状体１４の一端側１４ａに取り付けられた蓋体１５および他端側１４ｂに取り付けられた化粧枠１６を有して構成されている。略筒状体１４は、例えばアルミダイキャス（ＡＤＣ）からなり、図２に示すように、その側面１４ｃに放熱用の凸部１７を複数個設けている。また、略筒状体１４を天井等に固定するための一対の取付ばね１８，１８をねじ１９，１９により固定している。また、他端側１４ｂには、図１に示すように、変形に対する強度を向上させるための環状段部１４ｄが形成されている。
【００２３】
蓋体１５は、例えばアルミダイキャス（ＡＤＣ）からなり、有底の円筒状に形成されている。そして、略筒状体１４の一端側１４ａの開口を塞ぐように、皿ネジ２０，２０により、略筒状体１４の一端側１４ａに固定されている。また、化粧枠１６は、例えばＡＢＳ樹脂からなり、略筒状体１４の他端側１４ｂの開口を塞ぐように、２個の皿ネジ２０Ａにより、略筒状体１４の他端側１４ｂに固定されている。化粧枠１６は、段状の開口部１６ａが設けられ、その開口部１６ａの内側に例えばアクリル樹脂からなる透光性カバー２１を配設している。
【００２４】
そして、化粧枠１６は、筒体４が回転対称となるように、筒体４の他端側４ｂの鍔部１２を接着材により固定している。また、蓋体１５は、ＬＥＤモジュール６の発光ダイオード２が筒体４の第１の開口部１１に位置するように、回路基板３をネジ２２，２２により固定している。すなわち、筒体４の一端側４ａの鍔部１０にＬＥＤモジュール６が密接または近接あるいは近傍の位置となるように、スペーサ２３，２３により回路基板３と蓋体１５の内面１５ａとの距離が調整（設定）されている。蓋体１５より外方に突出しているネジ２２，２２の部位には、袋ナット２４，２４が装着されている。なお、回路基板３と蓋体１５の内面１５ａとの間に、発光ダイオード２からの熱を伝熱して放熱させるための放熱部材を介在させると好適である。
【００２５】
こうして、筒体４は、第１の開口部１１またはその近傍に発光ダイオード２が位置するように回路基板３が配設されて、発光ダイオード２の放射光を第１の開口部１１から入光し、第２の開口部１３から出射するものである。そして、器具本体５は、その略筒状体１４の一端側１４ａに回路基板３および筒体４の一端側４ａを収納し、略筒状体１４の他端側１４ｂに取り付けた化粧枠１６の開口部１６ａの開口から筒体４から出射される発光ダイオード２の放射光を出射するものである。
【００２６】
そして、略筒状体１４の一端側１４ａと筒体４の一端側４ａとの間の空間には、端子台２５が設けられている。略筒状体１４の内面には、側面Ｌ形の取付け部材２６が図示しないねじにより固定されており、端子台２５は、取付け部材２６に図示しないねじにより固定されている。端子台２５は、リード線２７により回路基板３に電気接続されている。
【００２７】
略筒状体１４の側面１４ｃの端子台２５に正対する部位には、配線用開口部２８が形成されている。この配線用開口部２８を介して略筒状体１４の側面１４ｃ側から外部からの電源線２９が挿入され、この電源線２９は、端子台２５の速結端子に接続されている。すなわち、電源線２９は、端子台２５およびリード線２７により、回路基板３に接続されている。
次に、本発明の第１の実施形態の作用について述べる。
【００２８】
電源線２９から端子台２５に電源が供給されると、回路基板３の点灯回路部品７が動作し、回路基板３に配設されているＬＥＤモジュール６の発光ダイオード２は、回路基板３において点灯回路部品７により形成される点灯回路から電力が供給されて点灯し、可視光を放射する。
【００２９】
発光ダイオード２は、筒体４の第１の開口部１１またはその近傍に位置しているので、その放射光は、直に第１の開口部１１から筒体４の内部に入光する。そして、放射光は、その一部が筒体４の反射部９の内面で反射されて、第２の開口部１３から出射し、器具本体５の化粧枠１６に設けられた透光性カバー２１を通過して、化粧枠１６の開口部１６ａの開口から器具本体５の直下方向の外方に出射する。
【００３０】
発光ダイオード２は、化粧枠１６の開口部１６ａの反対側である筒体４の一端側４ａに形成された第１の開口部１１またはその近傍に配設されているので、発光ダイオードの放射光は、筒体４および化粧枠１６により、器具本体５の直下方向に対する斜め方向への出射が抑制される。すなわち、器具本体５を斜め方向から見上げたときの発光ダイオード２の遮光角を小さくすることができ、これにより、ＬＥＤ照明器具１を斜め方向から見上げたときの眩しさ（グレア）や不快感を低減することができる。
【００３１】
そして、発光ダイオード２は、ＬＥＤモジュール６として点灯回路部品７が実装された回路基板３に配設され、その回路基板３は、筒体４の一端側４ａに形成された第１の開口部１１またはその近傍に発光ダイオード２が位置するように配設されているので、器具本体５の略筒状体１４の一端側１４ａおよび他端側１４ｂの間の寸法を小さくすることができる。これにより、器具本体５の高さ方向の大きさを小さくすることができて、ＬＥＤ照明器具１を奥行きの小さい天井などの設置スペースが小さい場所に設置することができる。
【００３２】
また、外部からの電源線２９が接続される端子台２５は、器具本体５の略筒状体１４の一端側１４ａと筒体４の一端側４ａとの間の空間に設けられ、略筒状体１４の配線用開口部２８から電源線２９が接続されるので、ＬＥＤモジュール６および回路基板３よりも略筒状体１４の一端側１４ａの端部側に突出しない。すなわち、端子台２５は、回路基板３よりも筒体４の第２の開口部１３側に位置するので、略筒状体１４の一端側１４ａおよび他端側１４ｂの間の寸法が端子台２５の設置によって大きくなることがなく、これにより、器具本体５の高さ方向の大きさを小さくすることができる。
【００３３】
なお、筒体４は、器具本体５の化粧枠１６に固定したが、略筒状体１４や蓋体１５に固定されてもよい。また、筒体４は、一端側４ａの鍔部１０がＬＥＤモジュール６や回路基板３に固定されてもよい。また、ＬＥＤモジュール６および回路基板３が筒体４の鍔部１０に固定されてもよい。
次に、本発明の第２の実施形態について説明する。
【００３４】
図３ないし図５は、本発明の第２の実施形態を示し、図３はＬＥＤ照明器具の一部切り欠き概略側面図、図４は蓋体を取り除いた状態のＬＥＤ照明器具の概略上面図、図５は他のＬＥＤ照明器具の一部切り欠き概略側面図である。なお、図１および図２と同一部分には、同一符号を付して説明は省略する。
【００３５】
図３に示すＬＥＤ照明器具３０は、図１に示すＬＥＤ照明器具１において、発光ダイオード２を実装しているＬＥＤ体としてのＬＥＤモジュール３１および発光ダイオード２を点灯する点灯回路部品７を一面（表面）３２ａに実装している回路基板３２がそれぞれ器具本体５の蓋体１５に取り付けられたものである。そして、図４に示すように、ＬＥＤモジュール３１は、円形状に形成され、回路基板３２は、略ランドルト環に形成されている。回路基板３２は、図３に示すように、その内周面３２ｂが筒体４の反射部９の外面形状に沿う形状に形成されている。
【００３６】
ＬＥＤモジュール３１は、その発光ダイオード２が筒体４の第１の開口部１１またはその近傍に位置するように、ネジ３３，３３により蓋体１５に固定されている。すなわち、ＬＥＤモジュール３１と蓋体１５の内面１５ａとの距離がスペーサ３４、３４により調整（設定）されている。蓋体１５より外方に突出しているネジ３３，３３の部位には、袋ナット２４，２４が装着されている。なお、ＬＥＤモジュール３１と蓋体１５の内面１５ａとの間に、発光ダイオード２からの熱を伝熱して放熱させるための放熱部材を介在させると好適である。
【００３７】
回路基板３２は、器具本体５の略筒状体１４の内面と筒体４との間の空間であって、ＬＥＤモジュール３１よりも筒体４の第２の開口部１３側の所定位置となるように、ボルト３５，３５により蓋体１５に固定されている。すなわち、回路基板３２が前記所定位置となるように、回路基板３２と蓋体１５の内面１５ａとの距離がスペーサ３６，３６により調整（設定）されている。蓋体１５より外方に突出しているボルト３５，３５の部位には、袋ナット２４，２４が装着されている。
【００３８】
そして、回路基板３２は、リード線２７により端子台２５に接続され、リード線３７によりＬＥＤモジュール３１の発光ダイオード２に接続されている。ＬＥＤ照明器具３０は、電源線２９から端子台２５に電源が供給されると、回路基板３２の点灯回路部品７が動作し、回路基板３２からリード線３７を介してＬＥＤモジュール３１の発光ダイオード２に電力が供給される。これにより、発光ダイオード２は、点灯し、可視光を放射する。
【００３９】
こうして、筒体４は、第１の開口部１１またはその近傍に発光ダイオード２が位置するようにＬＥＤ体としてのＬＥＤモジュール３１が配設されて、発光ダイオード２の放射光を第１の開口部１１から入光し、第２の開口部１３から出射するものである。そして、器具本体５は、その略筒状体１４の一端側１４ａにＬＥＤモジュール３１および筒体４の一端側４ａを収納し、略筒状体１４の他端側１４ｂに取り付けた化粧枠１６の開口部１６ａの開口から筒体４から出射される発光ダイオード２の放射光を出射するものである。
【００４０】
ＬＥＤ照明器具３０は、発光ダイオード２を実装しているＬＥＤモジュール３１が筒体４の一端側４ａに形成された第１の開口部１１またはその近傍に位置するように配設され、点灯回路部品７が実装された回路基板３２が器具本体５の略筒状体１４の内面と筒体４との間であってＬＥＤモジュール３１よりも筒体４の第２の開口部１３側に収納されているので、略筒状体１４の一端側１４ａおよび他端側１４ｂの間の寸法を小さくすることができ、器具本体５の高さ方向の大きさを小さくすることができる。これにより、ＬＥＤ照明器具３０は、奥行きの小さい天井などの設置スペースが小さい場所に設置することができる。
【００４１】
図５に示すＬＥＤ照明器具３８は、図３に示すＬＥＤ照明器具３０において、器具本体５の略筒状体１４の一端側１４ａおよび他端側１４ｂに沿う方向に回路基板３９が配設されたものである。
【００４２】
器具本体５の蓋体１５の内面１５ａには、側面Ｌ形の取付け部材４０が図示しないねじにより固定されている。回路基板３９は、その一端側３９ａの複数個所において、取付け部材４０とともにネジ４１およびナット４２により共締めされている。そして、回路基板３９は、ＬＥＤモジュール３１よりも筒体４の第２の開口部１３側であり、かつ点灯回路部品７が略筒状体１４の内面に接触または近接しないようにして略筒状体１４に収納されている。このとき、回路基板３９は、その他端側３９ｂが筒体４の反射部９と干渉しないように、他端側３９ｂの一部が反射部９の外形に沿う形状に切り欠きされている。
【００４３】
ＬＥＤ照明器具３８は、ＬＥＤモジュール３１が筒体４の一端側４ａに形成された第１の開口部１１またはその近傍に位置するように配設され、回路基板３９が器具本体５の略筒状体１４の一端側１４ａおよび他端側１４ｂに沿う方向に配設されていても、略筒状体１４の内面と筒体４との間であってＬＥＤモジュール３１よりも筒体４の第２の開口部１３側に収納されているので、略筒状体１４の一端側１４ａおよび他端側１４ｂの間の寸法を小さくすることができ、器具本体５の高さ方向の大きさを小さくすることができる。これにより、ＬＥＤ照明器具３８は、奥行きの小さい天井などの設置スペースが小さい場所に設置することができる。
【００４４】
なお、ＬＥＤ照明器具３０，３８において、ＬＥＤモジュール３１は、筒体４の一端側４ａの鍔部１０に固定されてもよい。また、回路基板３２，３９は、器具本体５の略筒状体１４や筒体４に取付け部材などを介して固定されてもよい。
【図面の簡単な説明】
【００４５】
【図１】本発明の第１の実施形態を示すＬＥＤ照明器具の一部切り欠き概略側面図。
【図２】同じく、蓋体を取り除いた状態のＬＥＤ照明器具の概略上面図。
【図３】本発明の第２の実施形態を示すＬＥＤ照明器具の一部切り欠き概略側面図。
【図４】同じく、蓋体を取り除いた状態のＬＥＤ照明器具の概略上面図。
【図５】同じく、他のＬＥＤ照明器具の一部切り欠き概略側面図。
【符号の説明】
【００４６】
１，３０，３８…ＬＥＤ照明器具
２…発光ダイオード
３，３２，３９…回路基板
４…筒体
５…器具本体
６，３１…ＬＥＤ体としてのＬＥＤモジュール
１１…第１の開口部
１３…第２の開口部
１４…略筒状体
２５…端子台
２８…配線用開口部
【図１】
2010123369.tif 000003
【図２】
2010123369.tif 000004
【図３】
2010123369.tif 000005
【図４】
2010123369.tif 000006
【図５】
2010123369.tif 000007